(57)【特許請求の範囲】
【請求項１】
無線通信システムにおいて旧無線周波数（ＲＦ）キャリアから新ＲＦキャリアへ切換えるための方法であって、
前記新ＲＦキャリアへのハンドオフを指示する第１メッセージを、前記旧ＲＦキャリアを使用して移動局（ＭＳ）へ送信すること、
前記ＭＳでの前記第１メッセージの受信成功を確認応答するために前記旧ＲＦキャリアを使用して前記ＭＳから送られる第１確認応答メッセージを受信すること、
前記ＭＳに前記新ＲＦキャリアにおけるリソースを割当てるため、およびアップリンク高速フィードバック・チャネルにおけるリソースを割当てるための第２メッセージを送信すること、および
前記新ＲＦキャリアへの同期成功を確認応答するために前記アップリンク高速フィードバック・チャネルを介して前記ＭＳから送られる第２確認応答メッセージを受信すること、
を備える方法。
【請求項２】
前記第１メッセージは、前記ＭＳが前記新ＲＦキャリアへ切換えることを試みる以前の前記旧ＲＦキャリアにおける最後のフレーム、前記新ＲＦキャリアについての情報、および前記新ＲＦキャリアの同期チャネルについての情報を含む、請求項１の方法。
【請求項３】
前記新ＲＦキャリアについての前記情報は前記新ＲＦキャリアの所在位置を含む、請求項２の方法。
【請求項４】
基地局（ＢＳ）によって前記旧ＲＦキャリアにおける以前の割当てリソースを、前記ＢＳが前記ＭＳから前記新ＲＦキャリアへの同期成功についての前記第２確認応答メッセージを受信すると直ぐにリリースすることをさらに備える、請求項１の方法。
【請求項５】
基地局（ＢＳ）によって前記旧ＲＦキャリアについてリソースを割当てることを、前記ＢＳが前記ＭＳから前記第１メッセージの受信成功についての前記第１確認応答メッセージを受信すると直ちに停止することをさらに備える、請求項１の方法。
【請求項６】
基地局（ＢＳ）によって前記旧ＲＦキャリアについてリソースの割当てを保持すること、および
前記新ＲＦキャリアへの同期不成功について前記ＢＳに通知するために前記旧ＲＦキャリアを使用して前記ＭＳから送られる否定応答メッセージを前記ＢＳで受信すること、
をさらに備える、請求項１の方法。
【請求項７】
前記旧ＲＦキャリアはプライマリＲＦキャリアである、請求項１の方法。
【請求項８】
前記新ＲＦキャリアはプライマリＲＦキャリアである、請求項１の方法。
【請求項９】
前記新ＲＦキャリアはセカンダリＲＦキャリアである、請求項１の方法。
【請求項１０】
無線通信システムにおいて旧無線周波数（ＲＦ）キャリアから新ＲＦキャリアへ切換えるための方法であって、
新ＲＦキャリアへのハンドオフを指示し前記旧ＲＦキャリアを使用して送信される第１メッセージを、基地局（ＢＳ）から受信すること、
前記第１メッセージの受信成功を確認応答するために前記旧ＲＦキャリアを使用して前記ＢＳに第１確認応答メッセージを送信すること、
前記新ＲＦキャリアにおけるリソースの割当てのためおよびアップリンク高速フィードバック・チャネルにおけるリソースの割当てのため、前記旧ＲＦキャリアを使用して前記ＢＳから送られる第２メッセージを受信すること、および
前記新ＲＦキャリアへの同期処理の成功を確認応答するために前記アップリンク高速フィードバック・チャネルを介して第２確認応答メッセージを送信すること
を備える方法。
【請求項１１】
前記第１メッセージは、移動局（ＭＳ）が前記新ＲＦキャリアへ切換えることを試みる以前の前記旧ＲＦキャリアにおける最後のフレーム、前記新ＲＦキャリアについての情報、および前記新ＲＦキャリアの同期チャネルについての情報を含む、請求項１０の方法。
【請求項１２】
前記新ＲＦキャリアについての前記情報は前記新ＲＦキャリアの所在位置を含む、請求項１１の方法。
【請求項１３】
前記新ＲＦキャリアについての前記情報は前記旧ＲＦキャリアについての前記情報とは異なる情報を含む、請求項１２の方法。
【請求項１４】
前記旧ＲＦキャリアはプライマリＲＦキャリアである、請求項１０の方法。
【請求項１５】
前記新ＲＦキャリアはプライマリＲＦキャリアである、請求項１０の方法。
【請求項１６】
前記新ＲＦキャリアはセカンダリＲＦキャリアである、請求項１０の方法。
【請求項１７】
無線通信システムにおいて旧無線周波数（ＲＦ）キャリアから新ＲＦキャリアへ切換えるための装置であって、
前記新ＲＦキャリアへのハンドオフを指示する第１メッセージを、前記旧ＲＦキャリアを使用して移動局（ＭＳ）に送信するためのロジック、
前記ＭＳでの前記第１メッセージの受信成功を確認応答するために前記旧ＲＦキャリアを使用して前記ＭＳから送られる第１確認応答メッセージを受信するためのロジック、
前記ＭＳに前記新ＲＦキャリアにおけるリソースを割当てるため、およびアップリンク高速フィードバック・チャネルにおけるリソースを割当てるための第２メッセージを送信するためのロジック、および
前記新ＲＦキャリアへの同期成功を確認応答するために前記アップリンク高速フィードバック・チャネルを介して前記ＭＳから送られる第２確認応答メッセージを受信するためのロジック、
を備える装置。
【請求項１８】
前記第１メッセージは、前記ＭＳが前記新ＲＦキャリアへ切換えることを試みる以前の前記旧ＲＦキャリアにおける最後のフレーム、前記新ＲＦキャリアについての情報、および前記新ＲＦキャリアの同期チャネルについての情報を含む、請求項１７の装置。
【請求項１９】
前記新ＲＦキャリアについての前記情報は前記新ＲＦキャリアの所在位置を含む、請求項１８の装置。
【請求項２０】
基地局（ＢＳ）によって前記旧ＲＦキャリアにおける以前の割当てリソースを、前記ＢＳが前記ＭＳから前記新ＲＦキャリアへの同期成功についての前記第２確認応答メッセージを受信すると直ちにリリースするためのロジックをさらに備える、請求項１７の装置。
【請求項２１】
基地局（ＢＳ）によって前記旧ＲＦキャリアについてリソースを割当てることを、前記ＢＳが前記ＭＳから前記第１メッセージの受信成功についての前記第１確認応答メッセージを受信すると直ちに停止するためのロジックをさらに備える、請求項１７の装置。
【請求項２２】
基地局（ＢＳ）によって前記旧ＲＦキャリアについてリソースの割当てを保持するためのロジック、および
前記新ＲＦキャリアへの同期不成功について前記ＢＳに通知するために前記旧ＲＦキャリアを使用して前記ＭＳから送られる否定応答メッセージを前記ＢＳで受信するためのロジック、
をさらに備える、請求項１７の装置。
【請求項２３】
前記旧ＲＦキャリアはプライマリＲＦキャリアである、請求項１７の装置。
【請求項２４】
前記新ＲＦキャリアはプライマリＲＦキャリアである、請求項１７の装置。
【請求項２５】
前記新ＲＦキャリアはセカンダリＲＦキャリアである、請求項１７の装置。
【請求項２６】
無線通信システムにおいて旧無線周波数（ＲＦ）キャリアから新ＲＦキャリアへ切換えるための装置であって、
新ＲＦキャリアへのハンドオフを指示し前記旧ＲＦキャリアを使用して送信される第１メッセージを、基地局（ＢＳ）から受信するためのロジック、
前記第１メッセージの受信成功を確認応答するために前記旧ＲＦキャリアを使用して前記ＢＳに第１確認応答メッセージを送信するためのロジック、
前記新ＲＦキャリアにおけるリソースの割当てのため、およびアップリンク高速フィードバック・チャネルにおけるリソースの割当てのために前記旧ＲＦキャリアを使用して前記ＢＳから送られる第２メッセージを受信するためのロジック、および
前記新ＲＦキャリアへの同期処理の成功を確認応答するために前記アップリンク高速フィードバック・チャネルを介して第２確認応答メッセージを送信するためのロジック、
を備える装置。
【請求項２７】
前記第１メッセージは、移動局（ＭＳ）が前記新ＲＦキャリアへ切換えることを試みる以前の前記旧ＲＦキャリアにおける最後のフレーム、前記新ＲＦキャリアについての情報、および前記新ＲＦキャリアの同期チャネルについての情報を含む、請求項２６の装置。
【請求項２８】
前記新ＲＦキャリアについての前記情報は前記新ＲＦキャリアの所在位置を含む、請求項２７の装置。
【請求項２９】
前記新ＲＦキャリアについての前記情報は前記旧ＲＦキャリアについての前記情報とは異なる情報を含む、請求項２８の装置。
【請求項３０】
前記旧ＲＦキャリアはプライマリＲＦキャリアである、請求項２６の装置。
【請求項３１】
前記新ＲＦキャリアはプライマリＲＦキャリアである、請求項２６の装置。
【請求項３２】
前記新ＲＦキャリアはセカンダリＲＦキャリアである、請求項２６の装置。
【請求項３３】
無線通信システムにおいて旧無線周波数（ＲＦ）キャリアから新ＲＦキャリアへ切換えるための装置であって、
前記新ＲＦキャリアへのハンドオフを指示する第１メッセージを、前記旧ＲＦキャリアを使用して移動局（ＭＳ）に送信するための手段、
前記ＭＳでの前記第１メッセージの受信成功を確認応答するために前記旧ＲＦキャリアを使用して前記ＭＳから送られる第１確認応答メッセージを受信するための手段、
前記ＭＳに前記新ＲＦキャリアにおけるリソースを割当てるため、およびアップリンク高速フィードバック・チャネルにおけるリソースを割当てるための第２メッセージを送信するための手段、および
前記新ＲＦキャリアへの同期成功を確認応答するために前記アップリンク高速フィードバック・チャネルを介して前記ＭＳから送られる第２確認応答メッセージを受信するための手段、
を備える装置。
【請求項３４】
前記第１メッセージは、前記ＭＳが前記新ＲＦキャリアへ切換えることを試みる以前の前記旧ＲＦキャリアにおける最後のフレーム、前記新ＲＦキャリアについての情報、および前記新ＲＦキャリアの同期チャネルについての情報を含む、請求項３３の装置。
【請求項３５】
前記新ＲＦキャリアについての前記情報は前記新ＲＦキャリアの所在位置を含む、請求項３４の装置。
【請求項３６】
基地局（ＢＳ）によって前記旧ＲＦキャリアにおける以前の割当てリソースを、前記ＢＳが前記ＭＳから前記新ＲＦキャリアへの同期成功についての前記第２確認応答メッセージを受信すると直ちに、リリースするための手段をさらに備える、請求項３３の装置。
【請求項３７】
基地局（ＢＳ）によって前記旧ＲＦキャリアについてリソースを割当てることを、前記ＢＳが前記ＭＳから前記第１メッセージの受信成功についての前記第１確認応答メッセージを受信すると直ちに停止するための手段をさらに備える、請求項３３の装置。
【請求項３８】
基地局（ＢＳ）によって前記旧ＲＦキャリアについてリソースの割当てを保持するための手段、および
前記新ＲＦキャリアへの同期不成功について前記ＢＳに通知するために前記旧ＲＦキャリアを使用して前記ＭＳから送られる否定応答メッセージを前記ＢＳで受信するための手段、
をさらに備える、請求項３３の装置。
【請求項３９】
前記旧ＲＦキャリアはプライマリＲＦキャリアである、請求項３３の装置。
【請求項４０】
前記新ＲＦキャリアはプライマリＲＦキャリアである、請求項３３の装置。
【請求項４１】
前記新ＲＦキャリアはセカンダリＲＦキャリアである、請求項３３の装置。
【請求項４２】
無線通信システムにおいて旧無線周波数（ＲＦ）キャリアから新ＲＦキャリアへ切換えるための装置であって、
新ＲＦキャリアへのハンドオフを指示し前記旧ＲＦキャリアを使用して送信される第１メッセージを、基地局（ＢＳ）から受信するための手段、
前記第１メッセージの受信成功を確認応答するために前記旧ＲＦキャリアを使用して前記ＢＳに第１確認応答メッセージを送信するための手段、
前記新ＲＦキャリアにおけるリソースの割当てのため、およびアップリンク高速フィードバック・チャネルにおけるリソースの割当てのために前記旧ＲＦキャリアを使用して前記ＢＳから送られる第２メッセージを受信するための手段、および
前記新ＲＦキャリアへの同期処理の成功を確認応答するために前記アップリンク高速フィードバック・チャネルを介して第２確認応答メッセージを送信するための手段、
を備える装置。
【請求項４３】
前記第１メッセージは、移動局（ＭＳ）が前記新ＲＦキャリアへ切換えることを試みる以前の前記旧ＲＦキャリアにおける最後のフレーム、前記新ＲＦキャリアについての情報、および前記新ＲＦキャリアの同期チャネルについての情報を含む、請求項４２の装置。
【請求項４４】
前記新ＲＦキャリアについての前記情報は前記新ＲＦキャリアの所在位置を含む、請求項４３の装置。
【請求項４５】
前記新ＲＦキャリアについての前記情報は前記旧ＲＦキャリアについての前記情報とは異なる情報を含む、請求項４４の装置。
【請求項４６】
前記旧ＲＦキャリアはプライマリＲＦキャリアである、請求項４２の装置。
【請求項４７】
前記新ＲＦキャリアはプライマリＲＦキャリアである、請求項４２の装置。
【請求項４８】
前記新ＲＦキャリアはセカンダリＲＦキャリアである、請求項４２の装置。
【請求項４９】
無線通信システムにおいて旧無線周波数（ＲＦ）キャリアから新ＲＦキャリアに切換えるためのコンピュータ・プログラムであって、１または複数のプロセッサによって実行可能な複数の命令を備え、前記複数の命令は、
前記新ＲＦキャリアへのハンドオフを指示する第１メッセージを、前記旧ＲＦキャリアを使用して移動局（ＭＳ）に送信するための複数の命令、
前記ＭＳでの前記第１メッセージの受信成功を確認応答するために前記旧ＲＦキャリアを使用して前記ＭＳから送られる第１確認応答メッセージを受信するための複数の命令、
前記ＭＳに前記新ＲＦキャリアにおけるリソースを割当てるため、およびアップリンク高速フィードバック・チャネルにおけるリソースを割当てるための第２メッセージを送信するための複数の命令、および
前記新ＲＦキャリアへの同期成功を確認応答するために前記アップリンク高速フィードバック・チャネルを介して前記ＭＳから送られる第２確認応答メッセージを受信するための複数の命令、
を備える、コンピュータ・プログラム。
【請求項５０】
前記第１メッセージは、前記ＭＳが前記新ＲＦキャリアへ切換えることを試みる以前の前記旧ＲＦキャリアにおける最後のフレーム、前記新ＲＦキャリアについての情報、および前記新ＲＦキャリアの同期チャネルについての情報を含む、請求項４９のコンピュータ・プログラム。
【請求項５１】
前記新ＲＦキャリアについての前記情報は前記新ＲＦキャリアの所在位置を含む、請求項５０のコンピュータ・プログラム。
【請求項５２】
複数の命令はさらに基地局（ＢＳ）によって前記旧ＲＦキャリアにおける以前の割当てリソースを、前記ＢＳが前記ＭＳから前記新ＲＦキャリアへの同期成功についての前記第２確認応答メッセージを受信すると直ちにリリースするための複数の命令を含む、請求項４９のコンピュータ・プログラム。
【請求項５３】
複数の命令はさらに基地局（ＢＳ）によって前記旧ＲＦキャリアについてリソースを割当てることを、前記ＢＳが前記ＭＳから前記第１メッセージの受信成功についての前記第１確認応答メッセージを受信すると直ちに停止するための複数の命令を含む、請求項４９のコンピュータ・プログラム。
【請求項５４】
複数の命令はさらに
基地局（ＢＳ）によって前記旧ＲＦキャリアについてリソースの割当てを保持するための命令、および
前記新ＲＦキャリアへの同期不成功について前記ＢＳに通知するために前記旧ＲＦキャリアを使用して前記ＭＳから送られる否定応答メッセージを前記ＢＳで受信するための命令、
を備える、請求項４９のコンピュータ・プログラム。
【請求項５５】
前記旧ＲＦキャリアはプライマリＲＦキャリアである、請求項４９のコンピュータ・プログラム。
【請求項５６】
前記新ＲＦキャリアはプライマリＲＦキャリアである、請求項４９のコンピュータ・プログラム。
【請求項５７】
前記新ＲＦキャリアはセカンダリＲＦキャリアである、請求項４９のコンピュータ・プログラム。
【請求項５８】
無線通信システムにおいて旧無線周波数（ＲＦ）キャリアから新ＲＦキャリアに切換えるためのコンピュータ・プログラムであって、１または複数のプロセッサによって実行可能な複数の命令を備え、前記複数の命令は、
新ＲＦキャリアへのハンドオフを指示し前記旧ＲＦキャリアを使用して送信される第１メッセージを、基地局（ＢＳ）から受信するための複数の命令、
前記第１メッセージの受信成功を確認応答するために前記旧ＲＦキャリアを使用して前記ＢＳに第１確認応答メッセージを送信するための複数の命令、
前記新ＲＦキャリアにおけるリソースの割当てのため、およびアップリンク高速フィードバック・チャネルにおけるリソースの割当てのために前記旧ＲＦキャリアを使用して前記ＢＳから送られる第２メッセージを受信するための複数の命令、および
前記新ＲＦキャリアへの同期処理の成功を確認応答するために前記アップリンク高速フィードバック・チャネルを介して第２確認応答メッセージを送信するための複数の命令、
を備える、コンピュータ・プログラム。
【請求項５９】
前記第１メッセージは、移動局（ＭＳ）が前記新ＲＦキャリアへ切換えることを試みる以前の前記旧ＲＦキャリアにおける最後のフレーム、前記新ＲＦキャリアについての情報、および前記新ＲＦキャリアの同期チャネルについての情報を含む、請求項５８のコンピュータ・プログラム。
【請求項６０】
前記新ＲＦキャリアについての前記情報は前記新ＲＦキャリアの所在位置を含む、請求項５９のコンピュータ・プログラム。
【請求項６１】
前記新ＲＦキャリアについての前記情報は前記旧ＲＦキャリアについての前記情報とは異なる情報を含む、請求項６０のコンピュータ・プログラム。
【請求項６２】
前記旧ＲＦキャリアはプライマリＲＦキャリアである、請求項５８のコンピュータ・プログラム。
【請求項６３】
前記新ＲＦキャリアはプライマリＲＦキャリアである、請求項５８のコンピュータ・プログラム。
【請求項６４】
前記新ＲＦキャリアはセカンダリＲＦキャリアである、請求項５８のコンピュータ・プログラム。
【発明の詳細な説明】
【関連出願】
【０００１】
［優先権主張］
本特許出願は、２００８年１１月１４日に提出された"Ｓａｍｅ  Ｂａｓｅ  Ｓｔａｔｉｏｎ  Ｃａｒｒｉｅｒ  Ｈａｎｄｏｆｆ  ｆｏｒ  Ｍｕｌｔｉｃａｒｒｉｅｒ Ｓｕｐｐｏｒｔ"と題する米国特許仮出願番号第６１／１１５，０１５号に優先権を主張する。この仮出願は本出願の譲受人に譲渡され、そして、全ての目的のために参照としてここに明確に組み込まれる。
【技術分野】
【０００２】
本開示は一般に無線通信システムに関し、より具体的には複数の無線周波数キャリアを切換えるための方法に関する。
【発明の概要】
【０００３】
本開示のある実施形態は無線通信システムにおいて旧無線周波数(radio frequency)(ＲＦ)キャリア(carrier)から新ＲＦキャリアに切換えるための方法を提供する。本方法は一般に、旧ＲＦキャリアを使用して、新ＲＦキャリアへのハンドオフ(handoff)を指示する第１メッセージ(ＣＡＲＲＩＥＲ＿ＨＯ＿ＩＤメッセージ)を、移動局(mobile station)(ＭＳ)に送信すること、ＭＳでのＣＡＲＲＩＥＲ＿ＨＯ＿ＩＤメッセージの受信成功を確認応答するために旧ＲＦキャリアを使用してＭＳから送られる第１確認応答メッセージを受信すること、ＭＳに新ＲＦキャリアにおけるリソースを割当てるため、およびアップリンク高速フィードバック・チャネルにおけるリソースを割当てるための第２メッセージ(ＡＬＬＯＣ＿ＮＥＷＣＡＲＲメッセージ)を送信すること、および新ＲＦキャリアへの同期成功を確認応答するためにアップリンク高速フィードバック・チャネルを介してＭＳから送られる第２確認応答メッセージを受信することを含む。
【０００４】
本開示のある実施形態は無線通信システムにおいて旧無線周波数(ＲＦ)キャリアから新ＲＦキャリアに切換えるための方法を提供する。本方法は一般に、新ＲＦキャリアへのハンドオフを指示し旧ＲＦキャリアを使用して送信されるメッセージ(ＣＡＲＲＩＥＲ＿ＨＯ＿ＩＤメッセージ)を、基地局(base station)(ＢＳ)から受信すること、ＣＡＲＲＩＥＲ＿ＨＯ＿ＩＤメッセージの受信成功を確認応答するために旧ＲＦキャリアを使用してＢＳに第１確認応答メッセージを送信すること、新ＲＦキャリアにおけるリソースの割当てるため、およびアップリンク高速フィードバック・チャネルにおけるリソースの割当てのために旧ＲＦキャリアを使用してＢＳから送られるメッセージ(ＡＬＬＯＣ＿ＮＥＷＣＡＲＲメッセージ)を受信すること、および新ＲＦキャリアへの同期処理の成功を確認応答するためにアップリンク高速フィードバック・チャネルを介して第２確認応答メッセージを送信することを含む。
【０００５】
本開示のある実施形態は無線通信システムにおいて旧無線周波数(ＲＦ)キャリアから新ＲＦキャリアに切換えるための装置を提供する。本装置は一般に、新ＲＦキャリアへのハンドオフを指示する第１メッセージ(ＣＡＲＲＩＥＲ＿ＨＯ＿ＩＤメッセージ)を、旧ＲＦキャリアを使用して移動局(ＭＳ)に送信するためのロジック、ＭＳでのＣＡＲＲＩＥＲ＿ＨＯ＿ＩＤメッセージの受信成功を確認応答するために旧ＲＦキャリアを使用してＭＳから送られる第１確認応答メッセージを受信するためのロジック、ＭＳに新ＲＦキャリアにおけるリソースを割当てるため、およびアップリンク高速フィードバック・チャネルにおけるリソースを割当てるための第２メッセージ(ＡＬＬＯＣ＿ＮＥＷＣＡＲＲメッセージ)を送信するためのロジック、および、新ＲＦキャリアへの同期成功を確認応答するためにアップリンク高速フィードバック・チャネルを介してＭＳから送られる第２確認応答メッセージを受信するためのロジックを含む。
【０００６】
本開示のある実施形態は無線通信システムにおいて旧無線周波数(ＲＦ)キャリアから新ＲＦキャリアに切換えるための装置を提供する。本装置は一般に、新ＲＦキャリアへのハンドオフを指示し旧ＲＦキャリアを使用して送信されるメッセージ(ＣＡＲＲＩＥＲ＿ＨＯ＿ＩＤメッセージ)を基地局(ＢＳ)から受信するためのロジック、ＣＡＲＲＩＥＲ＿ＨＯ＿ＩＤメッセージの受信成功を確認応答するために旧ＲＦキャリアを使用してＢＳに第１確認応答メッセージを送信するためのロジック、新ＲＦキャリアにおけるリソースの割当てのため、およびアップリンク高速フィードバック・チャネルにおけるリソースの割当てのために旧ＲＦキャリアを使用してＢＳから送られるメッセージ(ＡＬＬＯＣ＿ＮＥＷＣＡＲＲメッセージ)を受信するためのロジック、および、新ＲＦキャリアへの同期処理の成功を確認応答するためにアップリンク高速フィードバック・チャネルを介して第２確認応答メッセージを送信するためのロジックを含む。
【０００７】
本開示のある実施形態は無線通信システムにおいて旧無線周波数(ＲＦ)キャリアから新ＲＦキャリアへ切換えるための装置を提供する。本装置は一般に、新ＲＦキャリアへのハンドオフを指示する第１メッセージ(ＣＡＲＲＩＥＲ＿ＨＯ＿ＩＤメッセージ)を、旧ＲＦキャリアを使用して移動局(ＭＳ)に送信するための手段、ＭＳでのＣＡＲＲＩＥＲ＿ＨＯ＿ＩＤメッセージの受信成功を確認応答するために旧ＲＦキャリアを使用してＭＳから送られる第１確認応答メッセージを受信するための手段、ＭＳに新ＲＦキャリアにおけるリソースを割当てるため、およびアップリンク高速フィードバック・チャネルにおけるリソースを割当てるための第２メッセージ(ＡＬＬＯＣ＿ＮＥＷＣＡＲＲメッセージ)を送信するための手段、および新ＲＦキャリアへの同期成功を確認応答するためにアップリンク高速フィードバック・チャネルを介してＭＳから送られる第２確認応答メッセージを受信するための手段を含む。
【０００８】
本開示のある実施形態は無線通信システムにおいて旧無線周波数(ＲＦ)キャリアから新ＲＦキャリアに切換えるための装置を提供する。本装置は一般に、新ＲＦキャリアへのハンドオフを指示し旧ＲＦキャリアを使用して送信されるメッセージ(ＣＡＲＲＩＥＲ＿ＨＯ＿ＩＤメッセージ)を基地局(ＢＳ)から受信するための手段、ＣＡＲＲＩＥＲ＿ＨＯ＿ＩＤメッセージの受信成功を確認応答するために旧ＲＦキャリアを使用してＢＳに第１確認応答メッセージを送信するための手段、新ＲＦキャリアにおけるリソースの割当て、およびアップリンク高速フィードバック・チャネルにおけるリソースの割当てのために旧ＲＦキャリアを使用してＢＳから送られるメッセージ(ＡＬＬＯＣ＿ＮＥＷＣＡＲＲメッセージ)を受信するための手段、および、新ＲＦキャリアへの同期処理の成功を確認応答するためにアップリンク高速フィードバック・チャネルを介して第２確認応答メッセージを送信するための手段を含む。
【０００９】
本開示のある実施形態は、無線通信システムにおいて旧無線周波数(ＲＦ)キャリアから新ＲＦキャリアに切換えるためのコンピュータ・プログラム製品を提供し、コンピュータ・プログラム製品は媒体上に記憶された複数の命令を有するコンピュータ可読媒体を備え、これら複数の命令は１または複数のプロセッサによって実行可能である。これら複数の命令は一般に、新ＲＦキャリアへのハンドオフを指示する第１メッセージ(ＣＡＲＲＩＥＲ＿ＨＯ＿ＩＤメッセージ)を、旧ＲＦキャリアを使用して移動局(ＭＳ)に送信するための複数の命令、ＭＳでのＣＡＲＲＩＥＲ＿ＨＯ＿ＩＤメッセージの受信成功を確認応答するために旧ＲＦキャリアを使用してＭＳから送られる第１確認応答メッセージを受信するための複数の命令、ＭＳに新ＲＦキャリアにおけるリソースを割当てるため、およびアップリンク高速フィードバック・チャネルにおけるリソースを割当てるための第２メッセージ(ＡＬＬＯＣ＿ＮＥＷＣＡＲＲメッセージ)を送信するための複数の命令、および、新ＲＦキャリアへの同期成功を確認応答するためにアップリンク高速フィードバック・チャネルを介してＭＳから送られる第２確認応答メッセージを受信するための複数の命令を含む。
【００１０】
本開示のある実施形態は、無線通信システムにおいて旧無線周波数(ＲＦ)キャリアから新ＲＦキャリアに切換えるためのコンピュータ・プログラム製品を提供し、コンピュータ・プログラム製品は媒体上に記憶された複数の命令を有するコンピュータ可読媒体を備え、これら複数の命令は１または複数のプロセッサによって実行可能である。これら複数の命令は一般に、新ＲＦキャリアへのハンドオフを指示し旧ＲＦキャリアを使用して送信されるメッセージ(ＣＡＲＲＩＥＲ＿ＨＯ＿ＩＤメッセージ)を基地局(ＢＳ)から受信するための複数の命令、ＣＡＲＲＩＥＲ＿ＨＯ＿ＩＤメッセージの受信成功を確認応答するために旧ＲＦキャリアを使用してＢＳに第１確認応答メッセージを送信するための複数の命令、新ＲＦキャリアにおけるリソースの割当てのため、およびアップリンク高速フィードバック・チャネルにおけるリソースの割当てのために旧ＲＦキャリアを使用してＢＳから送られるメッセージ(ＡＬＬＯＣ＿ＮＥＷＣＡＲＲメッセージ)を受信するための複数の命令、および新ＲＦキャリアへの同期処理の成功を確認応答するためにアップリンク高速フィードバック・チャネルを介して第２確認応答メッセージを送信するための複数の命令を含む。
【図面の簡単な説明】
【００１１】
本開示の上記の特徴が詳細に理解されることが可能なように、上で簡単に要約された説明のより詳しい説明が実施形態を参照して行われ、実施形態の一部は添付図面に示される。しかしながら、添付図面は本開示の単にある典型的な実施形態を示すものにすぎず、説明が他の同等に有効な実施形態を許容し得るので、本開示の範囲を限定するもの出ないことに注意されたい。
【図１】図１は、本開示のある実施形態に従う無線通信システムの例を示す。
【図２】図２は本開示のある実施形態に従う無線装置で利用され得る様々なコンポーネントを示す。
【図３】図３は本開示のある実施形態に従う無線通信システム内で利用される送信機の例と受信機の例を示す。
【図４】図４は本開示のある実施形態に従う移動局における単一キャリア・モードとマルチキャリア・モードのフレーム構造を示す。
【図５】図５は本開示のある実施形態に従うマルチキャリア・システムにおける無線周波数(ＲＦ)の切換えのための動作の例を示す。
【図５Ａ】図５Ａは図５で示される複数の動作を行うことが可能な複数のコンポーネントの例を示す。
【図６】図６は、本開示のある複数の実施形態に従って、１つのＲＦキャリアから別のＲＦキャリアへの切換え期間に基地局と移動局との間で複数の制御メッセージを交換することを示す。
【発明を実施するための形態】
【００１２】
"具体例の(exemplary)"という用語は本明細書中では"例、例証、または実例として働く"ということを意味するために使用される。本明細書中で"具体例の"と記載される何れの実施形態も、他の実施形態に対して優位であるまたは有利であると解釈される必要はない。
【００１３】
米国電気電子技術者協会(The Institute of Electrical and Electronics Engineers)(ＩＥＥＥ)８０２．１６ｍ規格は複数の無線周波数(ＲＦ)キャリアを使用する基地局(ＢＳ)と移動局(ＭＳ)との間の通信をサポートする。各ＭＳは唯１つのＲＦキャリア(即ち、プライマリ(primary)キャリア)によって制御され得るもので、１または複数のセカンダリ(secondary)キャリア上でデータを送信または受信し得る。同一ＢＳによってサービスを受ける異なる移動局は異なるプライマリＲＦキャリアを有し得る。
【００１４】
ＩＥＥＥ８０２．１６ｍ規格はキャリア切換えと呼ばれるマルチキャリア動作を規定し、これは単一無線ＭＳの場合に有益であり得る。単一無線ＭＳは、ＢＳによって指示されるのに従って、自身の物理層(physical layer)(ＰＨＹ)をプライマリ・キャリアからセカンダリ・キャリアに切換えて、プライマリ・キャリアへのＰＨＹ接続を失い得る。さらに、ＢＳはＭＳを異なるプライマリ・キャリアへ移すことを決定し得る。この特別なプロシージャ(procedure)は同一サービングＢＳ内の２つの異なるＲＦキャリア間のハンドオフ・プロシージャとして見ることができる。
【００１５】
本開示のある実施形態は、小さな制御オーバーヘッドを用いてＲＦキャリアを効率的に切換えるための方法をサポートする。
【００１６】
具体例の無線通信システム
本明細書記載の複数の技術は、様々な広帯域無線通信システムのために利用され得るもので、直交多重化方式に基づく複数の通信システムを含む。これら複数の通信システムの実例は直交周波数分割多元接続(Orthogonal Frequency Division Multiple Access)(ＯＦＤＭＡ)システム、単一キャリア(Single-Carrier)周波数分割多元接続(ＳＣ−ＦＤＭＡ)システム、等々を含む。ＯＦＤＭＡシステムは直交周波数分割多重(orthogonal frequency division multiplexing)(ＯＦＤＭ)を利用し、ＯＦＤＭは全システムの帯域幅を複数の直交するサブキャリアに分割する変調技術である。これらのサブキャリアはトーン、ビン、等々とも呼ばれる。ＯＦＤＭに関しては、それぞれのサブキャリアはデータを用いて独立に変調され得る。ＳＣ−ＦＤＭＡシステムは、システムの帯域幅にわたって分布されるサブキャリア上で伝送するインターリーブ型(interleaved)ＦＤＭＡ(ＩＦＤＭＡ)、隣接するサブキャリアの１ブロック上で伝送する局所型(localized)ＦＤＭＡ(ＬＦＤＭＡ)、あるいは、隣接するサブキャリアの複数のブロック上で伝送する拡張型(enhanced)ＦＤＭＡ(ＥＦＤＭＡ)を利用し得る。一般に、変調シンボルは、ＯＦＤＭについて周波数領域で送られ、ＳＣ−ＦＤＭＡについて時間領域で送られる。
【００１７】
直交多重化方式に基づく通信システムの一特定例はＷｉＭＡＸシステムである。ＷｉＭＡＸは、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓを意味し、長距離にわたる高スループットの広帯域接続を提供する規格準拠の広帯域無線技術である。今日ＷｉＭＡＸには２つの主要なアプリケーション、固定型ＷｉＭＡＸと移動型ＷｉＭＡＸ、がある。固定型ＷｉＭＡＸアプリケーションはポイント・ツー・マルチポイント(point-to-multipoint)であって、例えば、複数の家庭とビジネスへの広帯域接続を可能にする。移動型ＷｉＭＡＸは広帯域速度でのセルラ・ネットワークの十分な移動性を提供する。
【００１８】
ＩＥＥＥ８０２．１６ｘは発展途上にある規格機構であって固定型および移動型広帯域無線アクセス(broadband wireless access)(ＢＷＡ)システムのための無線インターフェースを規定する。これらの規格は少なくとも４つの異なる物理層(ＰＨＹ)と１つの媒体アクセス制御(medium access control)(ＭＡＣ)層を規定する。４つの物理層の内のＯＦＤＭ物理層とＯＦＤＭＡ物理層はそれぞれ固定型および移動型ＢＷＡエリアで最も一般的である。
【００１９】
図１はシステム１００全体にわたって分散された様々な利用者端末１０６を図示する。利用者端末１０６は固定型(即ち、静止型)であっても移動型であっても良い。利用者端末１０６は遠隔局、接続端末、端末、加入者ユニット、移動局、局、利用者装置、等々とも呼ばれ得る。利用者端末１０６は、セルラ電話、携帯情報端末(personal digital assistant)(ＰＤＡ)、ハンドヘルド装置、無線モデム、ラップトップ・コンピュータ、パソコン等のような無線装置あってよい。
【００２０】
様々なアルゴリズムと方法が、基地局１０４と利用者端末１０６との間の無線通信システム１００における伝送のために利用され得る。例えば、ＯＦＤＭ／ＯＦＤＭＡ技術に従って、基地局１０４と利用者端末１０６との間で、複数の信号が送受信され得る。この場合、無線通信システム１００はＯＦＤＭ／ＯＦＤＭＡシステムと呼ばれ得る。
【００２１】
基地局１０４から利用者端末１０６への送信を助ける通信回線はダウンリンク(downlink)(ＤＬ)１０８と呼ばれ、利用者端末１０６から基地局１０４への送信を助ける通信回線はアップリンク(uplink)(ＵＬ)１１０と呼ばれ得る。代わって、ダウンリンク１０８は順方向リンクまたは順方向チャネルと呼ばれ、アップリンク１１０は逆方向リンクまたは逆方向チャネルと呼ばれ得る。
【００２２】
セル１０２は複数のセクタ１１２に分割され得る。１つのセクタ１１２はセル１０２内の１つの物理的な通信範囲である。無線通信システム１００内の基地局１０４は電力の流れをセル１０２の特定のセクタ１１２内に集中させるアンテナを利用し得る。そのようなアンテナは指向性アンテナと呼ばれ得る。
【００２３】
図２は無線通信システム１００内で採用され得る無線装置２０２で利用され得る様々なコンポーネントを示す。無線装置２０２は本明細書で説明される様々な方法を実現するように構成され得る装置の一例である。無線装置２０２は基地局１０４または利用者端末１０６であり得る。
【００２４】
無線装置２０２は無線装置２０２の動作を制御するプロセッサ２０４を含み得る。プロセッサ２０４は中央演算処理装置(ＣＰＵ)とも呼ばれ得る。メモリ２０６は、読み出し専用メモリ(ＲＯＭ)とランダム・アクセス・メモリ(ＲＡＭ)双方を含み得るもので、プロセッサ２０４に複数の命令とデータを供給する。メモリ２０６の一部分はまた非揮発性(non-volatile)ランダム・アクセス・メモリ(ＮＶＲＡＭ)を含み得る。プロセッサ２０４は一般的にはメモリ内に記憶された複数のプログラム命令に基づいて論理演算および算術演算を実行する。メモリ２０６内の複数の命令は本明細書記載の複数の方法を実現するために実行可能であり得る。
【００２５】
無線装置２０２は、無線装置２０２と遠隔地との間でのデータの送受信を可能にする、送信機２１０と受信機２１２を含み得る筺体２０８をも含み得る。送信機２１０と受信機２１２はトランシーバ２１４に一体化され得る。アンテナ２１６が筺体２０８に付けられてトランシーバ２１４に電気的に結合され得る。無線装置２０２は(図示されないが)複数の送信機、複数の受信機、複数のトランシーバ、および／または複数のアンテナを含み得る。
【００２６】
無線装置２０２は、トランシーバ２１４によって受信された信号のレベルを検出して定量化するために使用され得るもので、信号検出器２１８をも含み得る。信号検出器２１８は、全エネルギー、サブキャリア毎シンボル毎のエネルギー、電力スペクトル密度およびその他の信号のような、信号を検出し得る。無線装置２０２は信号処理で使用するためのデジタル信号処理装置(digital signal processor)(ＤＳＰ)２２０をも含み得る。
【００２７】
無線装置２０２の様々なコンポーネントはバス・システム２２２によって相互に結合され得るもので、バス・システム２２２は、データ・バスに加えて、電力バス、制御信号バス、およびステータス信号バスを含み得る。
【００２８】
図３はＯＦＤＭ／ＯＦＤＭＡを利用する無線通信システム１００内で使用され得る送信機３０２の一例を示す。送信機３０２の複数の部分は無線装置２０２の送信機２１０において実施され得る。送信機３０２はダウンリンク１０８上で利用者端末１０６へデータ３０６を送信するために基地局１０４において実施され得る。送信機３０２はアップリンク１１０上で基地局１０４へデータ３０６を送信するために利用者端末１０６においても実施され得る。
【００２９】
送信されるべきデータ３０６はシリアル／パラレル(serial-to-parallel)(Ｓ／Ｐ)変換器３０８への入力として供給されると図示される。Ｓ／Ｐ変換器３０８は送信データをＭ個の並列データ・ストリーム３１０に分割し得る。
【００３０】
Ｍ個の並列データ・ストリーム３１０は次にマッパ(mapper)３１２への入力として供給され得る。マッパ３１２はＭ個の並列データ・ストリーム３１０をＭ個のコンステレーション(constellation)点上にマッピングし得る。マッピングは、２相位相偏移変調(ＢＰＳＫ)、４相位相偏移変調(ＱＰＳＫ)、８相位相偏移変調(８ＰＳＫ)、直交振幅変調(quadrature amplitude modulation)(ＱＡＭ)、等々のような、何らかの変調コンステレーションを使用して行われ得る。従って、マッパ３１２は、各シンボル・ストリーム３１６が逆高速フーリエ変換(ＩＦＦＴ)３２０のＭ個の直交するサブキャリアの１つに対応するＭ個の並列シンボル・ストリーム３１６を出力し得る。これらＭ個の並列シンボル・ストリーム３１６は周波数領域で表わされて、ＩＦＦＴコンポーネント３２０によってＭ個の並列する時間領域サンプル・ストリーム３１８に変換され得る。
【００３１】
ここで用語についての簡単な注意が与えられる。周波数領域におけるＭ個の並列変調は周波数領域におけるＭ個の変調シンボルと同等であり、後者は周波数領域におけるＭ個のマッピングとＭ点ＩＦＦＴと同等であり、これは時間領域における１つの(有効な)ＯＦＤＭシンボルと同等であり、これは時間領域におけるＭ個のサンプルにと同等である。時間領域における１つのＯＦＤＭシンボル、Ｎｓ、はＮｃｐ(ＯＦＤＭシンボル毎のガード・サンプルの個数)＋Ｍ(ＯＦＤＭシンボル毎の有効サンプルの個数)に等しい。
【００３２】
Ｍ個の並列時間領域サンプル・ストリーム３１８はパラレル／シリアル(Ｐ／Ｓ)変換器３２４によってＯＦＤＭ／ＯＦＤＭＡシンボル・ストリーム３２２に変換され得る。ガード挿入コンポーネント３２６はＯＦＤＭ／ＯＦＤＭＡシンボル・ストリーム３２２における連続するＯＦＤＭ／ＯＦＤＭＡシンボルの間にガード・インターバルを挿入し得る。ガード挿入コンポーネント３２６の出力は次に無線周波数(ＲＦ)フロントエンド３２８によって所望の送信周波数帯にアップコンバートされ得る。次にアンテナ３３０は結果として得られた信号３３２を送信し得る。
【００３３】
図３は又ＯＦＤＭ／ＯＦＤＭＡを利用する無線装置２０２内で使用され得る受信機３０４の一例を示す。受信機３０４の複数の部分は無線装置２０２の受信機２１２において実施され得る。受信機３０４はダウンリンク１０８上の基地局１０４からのデータ３０６を受信するために利用者端末１０６において実施され得る。受信機３０４は又アップリンク１１０上の利用者端末１０６からのデータ３０６を受信するために基地局１０４において実施され得る。
【００３４】
無線チャネル３３４を介して伝播する送信された信号３３２が示される。信号３３２´がアンテナ３３０´によって受信されると、受信された信号３３２´はＲＦフロントエンド３２８´によってベースバンド信号にダウンコンバートされ得る。ガード除去コンポーネント３２６´は次にガード挿入コンポーネント３２６によってＯＦＤＭ／ＯＦＤＭＡシンボル間に挿入されたガード・インターバルを除去し得る。
【００３５】
ガード除去コンポーネント３２６´の出力はＳ／Ｐ変換器３２４´に供給され得る。Ｓ／Ｐ変換器３２４´はＯＦＤＭ／ＯＦＤＭＡシンボル・ストリーム３２２´を、各々Ｍ個の直交サブキャリアの１つに対応するＭ個の並列時間領域シンボル・ストリーム３１８´に分割し得る。高速フーリエ変換(ＦＦＴ)コンポーネント３２０´はＭ個の並列時間領域シンボル・ストリーム３１８´を周波数領域に変換してＭ個の並列周波数領域シンボル・ストリーム３１６´を出力し得る。
【００３６】
デマッパ(demapper)３１２´は、マッパ３１２によって行われたシンボル・マッピング動作の逆を行い、これによってＭ個の並列データ・ストリーム３１０´を出力し得る。Ｐ／Ｓ変換器３０８´はＭ個の並列データ・ストリーム３１０´を単一のデータ・ストリーム３０６´に結合し得る。理想的には、このデータ・ストリーム３０６´は送信機３０２への入力として供給されたデータ３０６に対応する。構成要素３０８´、３１０´、３１２´、３１６´、３２０´、３１８´および３２４´の全てはベースバンド・プロセッサ３４０´において見つけられ得ることに注意されたい。
【００３７】
具体例のマルチキャリア制御構造
ＩＥＥＥ８０２．１６ｍ規格は複数の無線周波数(ＲＦ)キャリアを利用する基地局(ＢＳ)と移動局(ＭＳ)との間の通信をサポートする。それぞれのＭＳは唯１つのＲＦキャリア(即ち、プライマリＲＦキャリア)によって制御されることができ、１または複数のセカンダリＲＦキャリア上でデータを送信または受信し得る。同一のＢＳによってサービスされる異なる移動局は異なるプライマリＲＦキャリアを有し得る。
【００３８】
マルチキャリア・システムのＲＦキャリアは、完全構成されたキャリアおよび部分構成されたキャリアとして構成され得る。完全構成されたＲＦキャリアは、同期チャネル(ＳＣＨ)、報知チャネル(ＢＣＨ)、マルチキャスト制御シグナリングおよびユニキャスト制御シグナリングを含む全制御チャネルが構成されることのできるキャリアである。マルチキャリア動作に関する情報とパラメータはこれら制御チャネル内に含まれることができる。他方、部分構成されたＲＦキャリアは、トラフィック交換をサポートするために本来の制御チャネル構成だけに特化されたキャリアである。
【００３９】
移動局の観点からは、マルチキャリア・システムに関与するＲＦキャリアは２つの型、プライマリ・キャリアとセカンダリ・キャリアに分割され得る。プライマリＲＦキャリアはトラフィックおよびＰＨＹ／ＭＡＣ(物理層／媒体アクセス制御)制御情報を交換するために使用され得る。また、プライマリＲＦキャリアはネットワーク・エントリーのような制御機能のために利用され得るもので、完全構成され得る。各ＭＳは、唯１つのプライマリＲＦキャリアを有することができる。他方、セカンダリＲＦキャリアは、ＭＳがトラフィックのために使用し得る付加的キャリアであって、セカンダリＲＦキャリアがＢＳによって特定される場合に限られ、これは一般的にはプライマリＲＦキャリアを介して達成され得る。セカンダリＲＦキャリアは、制御シグナリングをも含み得るもので、部分構成され得る。
【００４０】
具体例のマルチキャリア原理
ＭＳへのリソース割当てはプライマリＲＦキャリアと１または複数のセカンダリＲＦキャリアにわたる。(存在、所在位置等々のような)セカンダリＲＦキャリアについてのある情報はプライマリＲＦキャリアを介してＭＳに対して利用可能になり得る。
【００４１】
第１のシナリオでは、システム内の全てのＲＦキャリアがスタンドアローン(standalone)で動作するように完全構成され得るもので、いくらかの利用者達をそれらのプライマリＲＦキャリアとしてサポートし、他のいくらかの利用者達をそれらのセカンダリＲＦキャリアとしてサポートし得る。第２のシナリオでは部分構成された補助ＲＦキャリアが限定された制御シグナリングを持つあるサービスまたはトラフィック型に対するデータ・パイプとして最適化され得る。これら補助ＲＦキャリアはスタンドアローンで動作ことができない。
【００４２】
２つの異なるマルチキャリア動作であるキャリア・アグリゲーションおよびキャリア切換えが特定され得る。キャリア・アグリゲーション動作は、ＭＳがセカンダリＲＦキャリアに切換え得るが、常にＰＨＹ接続を保持して自身のプライマリＲＦキャリア上の制御情報をモニタし得ると想定する。単一無線ＭＳの場合、ＭＳがＢＳによって指示された後にプライマリＲＦキャリアからセカンダリＲＦキャリアに自身のＰＨＹ接続を切換え得ると想定してキャリア切換え動作が適用されることができる。
【００４３】
具体例のマルチキャリア動作
図４は、単一キャリア・モードおよびマルチキャリア・モードで動作し移動局で利用される複数のフレーム構造を示す。両方のモードで同じフレーム構造がＢＳとＭＳとの間での通信のために利用され得ることが見て取れる。図４は３つの異なるＲＦキャリア、ＲＦＣ１、ＲＦＣ２およびＲＦＣ３を示す。各ＲＦキャリアは自身の同期チャネル(synchronization channel)(ＳＣＨ)とスーパーフレーム・ヘッダ(super-frame header)(ＳＦＨ)を有し得る。あらゆるスーパーフレームは、図４に示されるＦ０、Ｆ１、Ｆ２およびＦ３のような、複数のフレームから構成され得る。セカンダリＲＦキャリアはＳＦＨの単に一部のみを使用し得ることに注意することは重要である。さらに、ＲＦキャリアは連続または非連続の周波数スペクトルに配置され得る。
【００４４】
あらゆるフレームは図４に示されるサブフレームＳＦ０、ＳＦ１、…、ＳＦ７のような複数のサブフレームをフレームＦ１の一部として含み得る。単一キャリア・モードにある移動局は一つだけのＲＦキャリアを利用でき、他方、図４に示されるように、マルチキャリア・モードにある移動局は複数のＲＦキャリアを利用し得る。
【００４５】
キャリア切換えのための具体例のハンドオフ・プロシージャ
本開示のある複数の実施形態は単一無線ＭＳに対して適用されることができるＲＦキャリアの切換えのための単純化されたハンドオフ・プロシージャをサポートする。ＭＳが自身の物理接続をプライマリＲＦキャリアからセカンダリＲＦキャリアに切換えてよかったり、ＢＳがＭＳを１つのプライマリＲＦキャリアから別のプライマリＲＦキャリアへと移すことを決定してよかったりする。これらプロシージャの両方は同一ＢＳ内の２つの異なるＲＦキャリア間のハンドオフ・プロシージャとして見ることができる。本開示は制御オーバーヘッドを削減することを意図した単純化されたハンドオフ・プロシージャを使用してＲＦキャリアを切換えることの問題点に対処する。
【００４６】
図５はマルチキャリア・システムにおけるＲＦキャリアの切換えのための動作５００の例を示す。例示されるように、図５はサービスを提供するＢＳによって実行される動作並びにサービスを受けるＭＳによって実行される対応する動作を与える。図５での動作に対応して、図６は、１つのＲＦキャリアから別のＲＦキャリアへの切換えプロシージャの期間における、サービスを提供するＢＳとＭＳとの間での制御メッセージの交換を示す。
【００４７】
５１０における、キャリア・ハンドオフ(ＨＯ)処理の開始で、ＢＳはキャリア・ハンドオフ・アイデンティフィケーション(Carrier Handoff Identification)(ＣＡＲＲＩＥＲ＿ＨＯ＿ＩＤ)メッセージ６１０をＭＳに送信し得る。５１５において、ＭＳはＣＡＲＲＩＥＲ＿ＨＯ＿ＩＤメッセージを受信し得る。ＣＡＲＲＩＥＲ＿ＨＯ＿ＩＤは、ＭＳがキャリア・ハンドオフを試みる以前の現在のプライマリＲＦキャリアにおける最後のフレーム、キャリアの所在位置のような切換ＲＦキャリアについての何か必要な情報、および新プライマリＲＦキャリアの同期チャネルについての付加的情報を含み得る。これら情報のうちのいくつかはＢＳによって以前に送信されていてもよく、この場合それらを改めて送信する必要はない。ＢＳは単に、現在のプライマリＲＦキャリアとＭＳがハンドオフされる先の新ＲＦキャリアとの間で異なる情報を含め得るだけである。例えば、もし両方のＲＦキャリアが同一の巡回プレフィックス(cyclic prefix)(ＣＰ)を利用するならば、そこでＢＳはＣＰについて何の情報も送る必要はなく、ＭＳは新ＲＦキャリアは同一のＣＰを利用することを想定し得る。
【００４８】
５２０では、ＭＳが、ＢＳに移動局確認応答アイデンティフィケーション(Mobile Station Acknowledgement Identification)(ＭＳ−ＡＣＫ＿ＩＤ)メッセージ６２０を送ることによって、ＣＡＲＲＩＥＲ＿ＨＯ＿ＩＤ６１０の受信を確認応答し得る。５２５では、ＢＳがＭＳからのＭＳ−ＡＣＫ＿ＩＤメッセージを受信し得る。これに続いて５３０では、ＢＳが旧ＲＦキャリアにおけるリソースを割当てることを停止し得る。５３５では、ＢＳが、ＭＳにアロケーション・ニュー・キャリア(Allocation New Carrier)(ＡＬＬＯＣ＿ＮＥＷＣＡＲＲ)メッセージ６３０を送ることによって、新プライマリＲＦキャリアにおけるリソースをＭＳに割当て得る。ＢＳは、また、ＭＳが自分は新ＲＦキャリアへの同期処理に成功したということを確認応答するために、ＩＥＥＥ８０２．１６ｍ規格によって指定される高速フィードバックアップリンクチャネルにおけるリソースを割当てることもあり得る。５４０では、ＭＳがＢＳからＡＬＬＯＣ＿ＮＥＷＣＡＲＲメッセージ６３０を受信し得る。
【００４９】
新ＲＦキャリアへの同期成功の後、５４５では、高速フィードバックアップリンクチャネルの以前の割当てリソースを使用して、ＭＳが移動局確認応答ニュー・キャリア(Mobile Station Acknowledgement New Carrier)(ＭＳ−ＡＣＫ＿ＮＥＷＣＡＲＲ)メッセージ６４０をＢＳに送り得る。確認応答メッセージを受信することに先立ち、ＢＳは、ハンドオフ処理中の任意の問題に備えて、ＭＳのための旧プライマリＲＦキャリアにおけるリソース割当てを保持し得る。５５０では、ＢＳが、新ＲＦキャリアへの同期成功の確認として、ＭＳからＭＳ−ＡＣＫ＿ＮＥＷＣＡＲＲメッセージを受信し得る。この後５５５では、ＢＳが旧ＲＦキャリアにおけるリソースを、それらが必要とされないのでリリースしてもよい。
【００５０】
上述の方法の様々な動作は、複数の図面に示される手段−プラス−機能ブロックに対応する様々なハードウェア・コンポーネントおよび／またはソフトウェア・コンポーネントおよび／またはモジュールによって行われ得る。例えば、図５に示されるブロック５１０〜５５５は図５Ａに示される手段−プラス−機能ブロック５１０Ａ〜５５５Ａに対応する。さらに一般的には、対応する相手先の手段−プラス−機能図を有する図面に示される方法がある場合、これら動作ブロックが同様な番号を持つ手段−プラス−機能ブロックに対応する。
【００５１】
本開示に関連して説明された様々な例示的な論理ブロック、モジュール、および回路は、汎用プロセッサ、デジタル信号処理装置(ＤＳＰ)、特定用途向け集積回路(application specific integrated circuit)(ＡＳＩＣ)、フィールド・プログラマブル・ゲート・アレイ(field programmable gate array)(ＦＰＧＡ)若しくは他のプログラム可能な論理デバイス(programmable logic device)(ＰＬＤ)、ディスクリート・ゲート(discrete gate)若しくはトランジスタ・ロジック、ディスクリート・ハードウェア・コンポーネント(discrete hardware components)、または本明細書に記載された複数の機能を行うために設計されたそれらの任意の組合せを用いて実施または行われてよい。汎用プロセッサはマイクロプロセッサであってよい、しかし、代わりに、プロセッサは任意の商業的に入手可能なプロセッサ、コントローラ(controller)、マイクロコントローラ(microcontroller)、またはステート・マシン(state machine)であってよい。プロセッサは計算デバイス(computing devices)の組合せ、例えば、ＤＳＰとマイクロプロセッサの組合せ、複数のマイクロプロセッサ、ＤＳＰコアと結合された１または複数のマイクロプロセッサ、あるいは任意の他のこうした構成、として実施されてもよい。
【００５２】
本開示に関連して述べた方法またはアルゴリズムの複数のステップは、直接的にハードウェア、プロセッサによって実行されるソフトウェア・モジュール、あるいはこれら二者の組合せにおいて実施されてよい。ソフトウェア・モジュールは当該技術分野で公知である任意の形式の記憶媒体内に常駐し得る。使用される得る記憶媒体のいくつかの例は、ランダム・アクセス・メモリ(ＲＡＭ)、読み出し専用メモリ(ＲＯＭ)、フラッシュ・メモリ、ＥＰＲＯＭメモリ、ＥＥＰＲＯＭメモリ、レジスタ、ハード・ディスク、取り外し可能なディスク、ＣＤ−ＲＯＭ等々を含む。ソフトウェア・モジュールは単一の命令若しくは多数の命令を含み得るもので、幾つかの異なるコード・セグメントにわたって様々な異なるプログラムの間および複数の記憶媒体間に分散され得る。記憶媒体は、プロセッサが記憶媒体から情報を読み、この記憶媒体に情報を書くことができるようにプロセッサに結合され得る。代わりに、記憶媒体はプロセッサと一体的であってよい。
【００５３】
本明細書で開示される複数の方法は、記載された方法を達成するために１または複数のステップまたはアクションを含む。これら方法ステップおよび／またはアクションは特許請求の範囲から逸脱することなく互いに入れ替え得る。換言すれば、これらステップ若しくはアクションの特定順序が特定されない限り、複数の特定ステップおよび／またはアクションの順序および／または使用は特許請求の範囲の範疇から逸脱することなく変形されてよい。
【００５４】
説明された複数の機能は、ハードウェア、ソフトウェア、ファームウェア、またはこれらの任意の組合せで実施され得る。もしソフトウェアで実施されるならば、これら機能は１または複数の命令としてコンピュータ可読媒体上に記憶され得る。記憶媒体はコンピュータによってアクセスされることができる任意の利用可能な媒体であってよい。限定しない例として、このようなコンピュータ可読媒体は、ＲＡＭ、ＲＯＭ、ＥＥＰＲＯＭ、ＣＤ−ＲＯＭ若しくは他の光学ディスク・ストレージ、磁気ディスク・ストレージ若しくは他の磁気記憶装置、あるいは、所望のプログラム・コードを命令若しくはデータ構造の形式で移送若しくは記憶するために使用されることができコンピュータによってアクセスされることができる任意の他の媒体を含むことができる。本明細書で使用されるディスク(ｄｉｓｋおよびｄｉｓｃ)は、コンパクト・ディスク(ＣＤ)、レーザ・ディスク、光学ディスク、デジタル多用途ディスク(digital versatile disc)(ＤＶＤ)、フロッピー(登録商標)・ディスクおよびブルーレイ(登録商標)ディスクを含み、ここにおいてｄｉｓｋは磁気的に通常データを再生し、ｄｉｓｃはレーザを用いてデータを光学的に再生するものである。
【００５５】
ソフトウェア若しくは複数の命令は、伝送媒体を介して伝送されてもよい。例えば、もしソフトウェアがウェブサイト、サーバ、または他の遠隔情報源から、同軸ケーブル、光ファイバ・ケーブル、ツイスト・ペア(twisted pair)、デジタル加入者線(digital subscriber line)(ＤＳＬ)、または、赤外線、無線波およびマイクロ波のような無線技術を使用して伝送される場合、同軸ケーブル、光ファイバ・ケーブル、ツイスト・ペア、ＤＳＬ、または、赤外線、無線波およびマイクロ波のような無線技術は、伝送媒体の定義に含まれる。
【００５６】
さらに、本明細書記載の方法と技術を行うためのモジュールおよび／または他の適切な手段は、適宜利用者端末および／または基地局によって、ダウンロードされるおよび／または他の方法で入手されることが可能であると認識されるべきである。例えば、このような装置はサーバに結合されて、本明細書記載の複数の方法を行うための手段の転送を容易にできる。代わって、本明細書記載の様々な方法は記憶手段(例えば、ＲＡＭ、ＲＯＭ、コンパクト・ディスク(ＣＤ)またはフロッピー・ディスク等々のような物理的な記憶媒体)を介して提供されることが可能であり、その結果利用者端末および／または基地局は、装置に記憶手段を結合若しくは供給し、様々な方法を入手できる。さらに、本明細書記載の方法と技術を装置に提供する任意の他の適切な技術が利用可能である。
【００５７】
特許請求の範囲が上に説明された正確な構成およびコンポーネントに限定されないことが理解されるべきである。様々な変形、変更および変化が、特許請求の範囲から逸脱することなく、上記の方法と装置の構成、動作および詳細において為されてよい。
【００５８】
以下に本願発明の当初の特許請求の範囲に記載された発明を付記する。
【００５９】
［Ｃ１］
無線通信システムにおいて旧無線周波数（ＲＦ）キャリアから新ＲＦキャリアへ切換えるための方法であって、
前記新ＲＦキャリアへのハンドオフを指示する第１メッセージ（ＣＡＲＲＩＥＲ＿ＨＯ＿ＩＤメッセージ）を、前記旧ＲＦキャリアを使用して移動局（ＭＳ）へ送信すること、  前記ＭＳでの前記ＣＡＲＲＩＥＲ＿ＨＯ＿ＩＤメッセージの受信成功を確認応答するために前記旧ＲＦキャリアを使用して前記ＭＳから送られる第１確認応答メッセージを受信すること、
前記ＭＳに前記新ＲＦキャリアにおけるリソースを割当てるため、およびアップリンク高速フィードバック・チャネルにおけるリソースを割当てるための第２メッセージ（ＡＬＬＯＣ＿ＮＥＷＣＡＲＲメッセージ）を送信すること、および
前記新ＲＦキャリアへの同期成功を確認応答するために前記アップリンク高速フィードバック・チャネルを介して前記ＭＳから送られる第２確認応答メッセージを受信すること、
を備える方法。
【００６０】
［Ｃ２］
前記ＣＡＲＲＩＥＲ＿ＨＯ＿ＩＤメッセージは、前記ＭＳが前記ＲＦキャリアを切換えることを試みる以前の前記旧ＲＦキャリアにおける最後のフレーム、前記新ＲＦキャリアについての情報、および前記新ＲＦキャリアの同期チャネルについての情報を含む、Ｃ１の方法。
【００６１】
［Ｃ３］
前記新ＲＦキャリアについての前記情報は前記新ＲＦキャリアの所在位置を含む、Ｃ２の方法。
【００６２】
［Ｃ４］
基地局（ＢＳ）によって前記旧ＲＦキャリアにおける以前の割当てリソースを、前記ＢＳが前記ＭＳから前記新ＲＦキャリアへの同期成功についての前記第２確認応答メッセージを受信すると直ぐにリリースすることをさらに備える、Ｃ１の方法。
【００６３】
［Ｃ５］
基地局（ＢＳ）によって前記旧ＲＦキャリアについてリソースを割当てることを、前記ＢＳが前記ＭＳから前記ＣＡＲＲＩＥＲ＿ＨＯ＿ＩＤメッセージの受信成功についての前記第１確認応答メッセージを受信すると直ちに停止することをさらに備える、Ｃ１の方法。
【００６４】
［Ｃ６］
基地局（ＢＳ）によって前記旧ＲＦキャリアについてリソースの割当てを保持すること、および
前記新ＲＦキャリアへの同期不成功について前記ＢＳに通知するために前記旧ＲＦキャリアを使用して前記ＭＳから送られる否定応答メッセージを前記ＢＳで受信すること、をさらに備える、Ｃ１の方法。
【００６５】
［Ｃ７］
前記旧ＲＦキャリアはプライマリＲＦキャリアである、Ｃ１の方法。
【００６６】
［Ｃ８］
前記新ＲＦキャリアはプライマリＲＦキャリアである、Ｃ１の方法。
【００６７】
［Ｃ９］
前記新ＲＦキャリアはセカンダリＲＦキャリアである、Ｃ１の方法。
【００６８】
［Ｃ１０］
無線通信システムにおいて旧無線周波数（ＲＦ）キャリアから新ＲＦキャリアへ切換えるための方法であって、
新ＲＦキャリアへのハンドオフを指示し前記旧ＲＦキャリアを使用して送信されるメッセージ（ＣＡＲＲＩＥＲ＿ＨＯ＿ＩＤメッセージ）を、基地局（ＢＳ）から受信すること、
前記ＣＡＲＲＩＥＲ＿ＨＯ＿ＩＤメッセージの受信成功を確認応答するために前記旧ＲＦキャリアを使用して前記ＢＳに第１確認応答メッセージを送信すること、
前記新ＲＦキャリアにおけるリソースの割当てのためおよびアップリンク高速フィードバック・チャネルにおけるリソースの割当てのため、前記旧ＲＦキャリアを使用して前記ＢＳから送られるメッセージ（ＡＬＬＯＣ＿ＮＥＷＣＡＲＲメッセージ）を受信すること、および
前記新ＲＦキャリアへの同期処理の成功を確認応答するために前記アップリンク高速フィードバック・チャネルを介して第２確認応答メッセージを送信すること
を備える方法。
【００６９】
［Ｃ１１］
前記ＣＡＲＲＩＥＲ＿ＨＯ＿ＩＤメッセージは、移動局（ＭＳ）が前記ＲＦキャリアを切換えることを試みる以前の前記旧ＲＦキャリアにおける最後のフレーム、前記新ＲＦキャリアについての情報、および前記新ＲＦキャリアの同期チャネルについての情報を含む、Ｃ１０の方法。
【００７０】
［Ｃ１２］
前記新ＲＦキャリアについての前記情報は前記新ＲＦキャリアの所在位置を含む、Ｃ１１の方法。
【００７１】
［Ｃ１３］
前記新ＲＦキャリアについての前記情報は前記旧ＲＦキャリアについての前記情報とは異なる情報を含む、Ｃ１２の方法。
【００７２】
［Ｃ１４］
前記旧ＲＦキャリアはプライマリＲＦキャリアである、Ｃ１０の方法。
【００７３】
［Ｃ１５］
前記新ＲＦキャリアはプライマリＲＦキャリアである、Ｃ１０の方法。
【００７４】
［Ｃ１６］
前記新ＲＦキャリアはセカンダリＲＦキャリアである、Ｃ１０の方法。
【００７５】
［Ｃ１７］
無線通信システムにおいて旧無線周波数（ＲＦ）キャリアから新ＲＦキャリアへ切換えるための装置であって、
前記新ＲＦキャリアへのハンドオフを指示する第１メッセージ（ＣＡＲＲＩＥＲ＿ＨＯ＿ＩＤメッセージ）を、前記旧ＲＦキャリアを使用して移動局（ＭＳ）に送信するためのロジック、
前記ＭＳでの前記ＣＡＲＲＩＥＲ＿ＨＯ＿ＩＤメッセージの受信成功を確認応答するために前記旧ＲＦキャリアを使用して前記ＭＳから送られる第１確認応答メッセージを受信するためのロジック、
前記ＭＳに前記新ＲＦキャリアにおけるリソースを割当てるため、およびアップリンク高速フィードバック・チャネルにおけるリソースを割当てるための第２メッセージ（ＡＬＬＯＣ＿ＮＥＷＣＡＲＲメッセージ）を送信するためのロジック、および
前記新ＲＦキャリアへの同期成功を確認応答するために前記アップリンク高速フィードバック・チャネルを介して前記ＭＳから送られる第２確認応答メッセージを受信するためのロジック、
を備える装置。
【００７６】
［Ｃ１８］
前記ＣＡＲＲＩＥＲ＿ＨＯ＿ＩＤメッセージは、前記ＭＳが前記ＲＦキャリアを切換えることを試みる以前の前記旧ＲＦキャリアにおける最後のフレーム、前記新ＲＦキャリアについての情報、および前記新ＲＦキャリアの同期チャネルについての情報を含む、Ｃ１７の装置。
【００７７】
［Ｃ１９］
前記新ＲＦキャリアについての前記情報は前記新ＲＦキャリアの所在位置を含む、Ｃ１８の装置。
【００７８】
［Ｃ２０］
基地局（ＢＳ）によって前記旧ＲＦキャリアにおける以前の割当てリソースを、前記ＢＳが前記ＭＳから前記ＭＳから前記新ＲＦキャリアへの同期成功についての前記第２確認応答メッセージを受信すると直ちにリリースするためのロジックをさらに備える、Ｃ１７の装置。
【００７９】
［Ｃ２１］
基地局（ＢＳ）によって前記旧ＲＦキャリアについてリソースを割当てることを、前記ＢＳが前記ＭＳから前記ＣＡＲＲＩＥＲ＿ＨＯ＿ＩＤメッセージの受信成功についての前記第１確認応答メッセージを受信すると直ちに停止するためのロジックをさらに備える、Ｃ１７の装置。
【００８０】
［Ｃ２２］
基地局（ＢＳ）によって前記旧ＲＦキャリアについてリソースの割当てを保持するためのロジック、および
前記新ＲＦキャリアへの同期不成功について前記ＢＳに通知するために前記旧ＲＦキャリアを使用して前記ＭＳから送られる否定応答メッセージを前記ＢＳで受信するためのロジック、
をさらに備える、Ｃ１７の装置。
【００８１】
［Ｃ２３］
前記旧ＲＦキャリアはプライマリＲＦキャリアである、Ｃ１７の装置。
【００８２】
［Ｃ２４］
前記新ＲＦキャリアはプライマリＲＦキャリアである、Ｃ１７の装置。
【００８３】
［Ｃ２５］
前記新ＲＦキャリアはセカンダリＲＦキャリアである、Ｃ１７の装置。
【００８４】
［Ｃ２６］
無線通信システムにおいて旧無線周波数（ＲＦ）キャリアから新ＲＦキャリアへ切換えるための装置であって、
新ＲＦキャリアへのハンドオフを指示し前記旧ＲＦキャリアを使用して送信されるメッセージ（ＣＡＲＲＩＥＲ＿ＨＯ＿ＩＤメッセージ）を、基地局（ＢＳ）から受信するためのロジック、
前記ＣＡＲＲＩＥＲ＿ＨＯ＿ＩＤメッセージの受信成功を確認応答するために前記旧ＲＦキャリアを使用して前記ＢＳに第１確認応答メッセージを送信するためのロジック、  前記新ＲＦキャリアにおけるリソースの割当てるため、およびアップリンク高速フィードバック・チャネルにおけるリソースを割当てるために前記旧ＲＦキャリアを使用して前記ＢＳから送られるメッセージ（ＡＬＬＯＣ＿ＮＥＷＣＡＲＲメッセージ）を受信するためのロジック、および
前記新ＲＦキャリアへの同期処理の成功を確認応答するために前記アップリンク高速フィードバック・チャネルを介して第２確認応答メッセージを送信するためのロジック、を備える装置。
【００８５】
［Ｃ２７］
前記ＣＡＲＲＩＥＲ＿ＨＯ＿ＩＤメッセージは、移動局（ＭＳ）が前記ＲＦキャリアを切換えることを試みる以前の前記旧ＲＦキャリアにおける最後のフレーム、前記新ＲＦキャリアについての情報、および前記新ＲＦキャリアの同期チャネルについての情報を含む、Ｃ２６の装置。
【００８６】
［Ｃ２８］
前記新ＲＦキャリアについての前記情報は前記新ＲＦキャリアの所在位置を含む、Ｃ２７の装置。
【００８７】
［Ｃ２９］
前記新ＲＦキャリアについての前記情報は前記旧ＲＦキャリアについての前記情報とは異なる情報を含む、Ｃ２８の装置。
【００８８】
［Ｃ３０］
前記旧ＲＦキャリアはプライマリＲＦキャリアである、Ｃ２６の装置。
【００８９】
［Ｃ３１］
前記新ＲＦキャリアはプライマリＲＦキャリアである、Ｃ２６の装置。
【００９０】
［Ｃ３２］
前記新ＲＦキャリアはセカンダリＲＦキャリアである、Ｃ２６の装置。
【００９１】
［Ｃ３３］
無線通信システムにおいて旧無線周波数（ＲＦ）キャリアから新ＲＦキャリアへ切換えるための装置であって、
前記新ＲＦキャリアへのハンドオフを指示する第１メッセージ（ＣＡＲＲＩＥＲ＿ＨＯ＿ＩＤメッセージ）を、前記旧ＲＦキャリアを使用して移動局（ＭＳ）に送信するための手段、
前記ＭＳでの前記ＣＡＲＲＩＥＲ＿ＨＯ＿ＩＤメッセージの受信成功を確認応答するために前記旧ＲＦキャリアを使用して前記ＭＳから送られる第１確認応答メッセージを受信するための手段、
前記ＭＳに前記新ＲＦキャリアにおけるリソースを割当てるため、およびアップリンク高速フィードバック・チャネルにおけるリソースを割当てるための第２メッセージ（ＡＬＬＯＣ＿ＮＥＷＣＡＲＲメッセージ）を送信するための手段、および
前記新ＲＦキャリアへの同期成功を確認応答するために前記アップリンク高速フィードバック・チャネルを介して前記ＭＳから送られる第２確認応答メッセージを受信するための手段、
を備える装置。
【００９２】
［Ｃ３４］
前記ＣＡＲＲＩＥＲ＿ＨＯ＿ＩＤメッセージは、前記ＭＳが前記ＲＦキャリアを切換えることを試みる以前の前記旧ＲＦキャリアにおける最後のフレーム、前記新ＲＦキャリアについての情報、および前記新ＲＦキャリアの同期チャネルについての情報を含む、Ｃ３３の装置。
【００９３】
［Ｃ３５］
前記新ＲＦキャリアについての前記情報は前記新ＲＦキャリアの所在位置を含む、Ｃ３４の装置。
【００９４】
［Ｃ３６］
基地局（ＢＳ）によって前記旧ＲＦキャリアにおける以前の割当てリソースを、前記ＢＳが前記ＭＳから前記新ＲＦキャリアへの同期成功についての前記第２確認応答メッセージを受信すると直ちに、リリースするための手段をさらに備える、Ｃ３３の装置。
【００９５】
［Ｃ３７］
基地局（ＢＳ）によって前記旧ＲＦキャリアについてリソースを割当てることを、前記ＢＳが前記ＭＳから前記ＣＡＲＲＩＥＲ＿ＨＯ＿ＩＤメッセージの受信成功についての前記第１確認応答メッセージを受信すると直ちに停止するための手段をさらに備える、Ｃ３３の装置。
【００９６】
［Ｃ３８］
基地局（ＢＳ）によって前記旧ＲＦキャリアについてリソースの割当てを保持するための手段、および
前記新ＲＦキャリアへの同期不成功について前記ＢＳに通知するために前記旧ＲＦキャリアを使用して前記ＭＳから送られる否定応答メッセージを前記ＢＳで受信するための手段をさらに備える、Ｃ３３の装置。
【００９７】
［Ｃ３９］
前記旧ＲＦキャリアはプライマリＲＦキャリアである、Ｃ３３の装置。
【００９８】
［Ｃ４０］
前記新ＲＦキャリアはプライマリＲＦキャリアである、Ｃ３３の装置。
【００９９】
［Ｃ４１］
前記新ＲＦキャリアはセカンダリＲＦキャリアである、Ｃ３３の装置。
【０１００】
［Ｃ４２］
無線通信システムにおいて旧無線周波数（ＲＦ）キャリアから新ＲＦキャリアへ切換えるための装置であって、
新ＲＦキャリアへのハンドオフを指示し前記旧ＲＦキャリアを使用して送信されるメッセージ（ＣＡＲＲＩＥＲ＿ＨＯ＿ＩＤメッセージ）を、基地局（ＢＳ）から受信するための手段、
前記ＣＡＲＲＩＥＲ＿ＨＯ＿ＩＤメッセージの受信成功を確認応答するために前記旧ＲＦキャリアを使用して前記ＢＳに第１確認応答メッセージを送信するための手段、
前記新ＲＦキャリアにおけるリソースの割当てるため、およびアップリンク高速フィードバック・チャネルにおけるリソースの割当てのために前記旧ＲＦキャリアを使用して前記ＢＳから送られるメッセージ（ＡＬＬＯＣ＿ＮＥＷＣＡＲＲメッセージ）を受信するための手段、および
前記新ＲＦキャリアへの同期処理の成功を確認応答するために前記アップリンク高速フィードバック・チャネルを介して第２確認応答メッセージを送信するための手段、
を備える装置。
【０１０１】
［Ｃ４３］
前記ＣＡＲＲＩＥＲ＿ＨＯ＿ＩＤメッセージは、移動局（ＭＳ）が前記ＲＦキャリアを切換えることを試みる以前の前記旧ＲＦキャリアにおける最後のフレーム、前記新ＲＦキャリアについての情報、および前記新ＲＦキャリアの同期チャネルについての情報を含む、Ｃ４２の装置。
【０１０２】
［Ｃ４４］
前記新ＲＦキャリアについての前記情報は前記新ＲＦキャリアの所在位置を含む、Ｃ４３の装置。
【０１０３】
［Ｃ４５］
前記新ＲＦキャリアについての前記情報は前記旧ＲＦキャリアについての前記情報とは異なる情報を含む、Ｃ４４の装置。
【０１０４】
［Ｃ４６］
前記旧ＲＦキャリアはプライマリＲＦキャリアである、Ｃ４２の装置。
【０１０５】
［Ｃ４７］
前記新ＲＦキャリアはプライマリＲＦキャリアである、Ｃ４２の装置。
【０１０６】
［Ｃ４８］
前記新ＲＦキャリアはセカンダリＲＦキャリアである、Ｃ４２の装置。
【０１０７】
［Ｃ４９］
無線通信システムにおいて旧無線周波数（ＲＦ）キャリアから新ＲＦキャリアに切換えるためのコンピュータ・プログラム製品であって、媒体上に記憶される複数の命令を有するコンピュータ可読媒体を備え、前記複数の命令は１または複数のプロセッサによって実行可能であり、かつ前記複数の命令は、
前記新ＲＦキャリアへのハンドオフを指示する第１メッセージ（ＣＡＲＲＩＥＲ＿ＨＯ＿ＩＤメッセージ）を、前記旧ＲＦキャリアを使用して移動局（ＭＳ）に送信するための複数の命令、
前記ＭＳでの前記ＣＡＲＲＩＥＲ＿ＨＯ＿ＩＤメッセージの受信成功を確認応答するために前記旧ＲＦキャリアを使用して前記ＭＳから送られる第１確認応答メッセージを受信するための複数の命令、
前記ＭＳに前記新ＲＦキャリアにおけるリソースを割当てるため、およびアップリンク高速フィードバック・チャネルにおけるリソースを割当てるための第２メッセージ（ＡＬＬＯＣ＿ＮＥＷＣＡＲＲメッセージ）を送信するための複数の命令、および
前記新ＲＦキャリアへの同期成功を確認応答するために前記アップリンク高速フィードバック・チャネルを介して前記ＭＳから送られる第２確認応答メッセージを受信するための複数の命令、
を備える、コンピュータ・プログラム製品。
【０１０８】
［Ｃ５０］
前記ＣＡＲＲＩＥＲ＿ＨＯ＿ＩＤメッセージは、前記ＭＳが前記ＲＦキャリアを切換えることを試みる以前の前記旧ＲＦキャリアにおける最後のフレーム、前記新ＲＦキャリアについての情報、および前記新ＲＦキャリアの同期チャネルについての情報を含む、Ｃ４９のコンピュータ・プログラム製品。
【０１０９】
［Ｃ５１］
前記新ＲＦキャリアについての前記情報は前記新ＲＦキャリアの所在位置を含む、Ｃ５０のコンピュータ・プログラム製品。
【０１１０】
［Ｃ５２］
複数の命令はさらに基地局（ＢＳ）によって前記旧ＲＦキャリアにおける以前の割当てリソースを、前記ＢＳが前記ＭＳから前記新ＲＦキャリアへの同期成功についての前記第２確認応答メッセージを受信すると直ちにリリースするための複数の命令を含む、Ｃ４９のコンピュータ・プログラム製品。
【０１１１】
［Ｃ５３］
複数の命令はさらに基地局（ＢＳ）によって前記旧ＲＦキャリアについてリソースを割当てることを、前記ＢＳが前記ＭＳから前記ＣＡＲＲＩＥＲ＿ＨＯ＿ＩＤメッセージの受信成功についての前記第１確認応答メッセージを受信すると直ちに停止するための複数の命令を含む、Ｃ４９のコンピュータ・プログラム製品。
【０１１２】
［Ｃ５４］
複数の命令はさらに基地局（ＢＳ）によって前記旧ＲＦキャリアについてリソースの割当てを保持するための命令、および
前記新ＲＦキャリアへの同期不成功について前記ＢＳに通知するために前記旧ＲＦキャリアを使用して前記ＭＳから送られる否定応答メッセージを前記ＢＳで受信するための命令、
を備える、Ｃ４９のコンピュータ・プログラム製品。
【０１１３】
［Ｃ５５］
前記旧ＲＦキャリアはプライマリＲＦキャリアである、Ｃ４９のコンピュータ・プログラム製品。
【０１１４】
［Ｃ５６］
前記新ＲＦキャリアはプライマリＲＦキャリアである、Ｃ４９のコンピュータ・プログラム製品。
【０１１５】
［Ｃ５７］
前記新ＲＦキャリアはセカンダリＲＦキャリアである、Ｃ４９のコンピュータ・プログラム製品。
【０１１６】
［Ｃ５８］
無線通信システムにおいて旧無線周波数（ＲＦ）キャリアから新ＲＦキャリアに切換えるためのコンピュータ・プログラム製品であって、媒体上に記憶される複数の命令を有するコンピュータ可読媒体を備え、前記複数の命令は１または複数のプロセッサによって実行可能であり、かつ前記複数の命令は、
新ＲＦキャリアへのハンドオフを指示し前記旧ＲＦキャリアを使用して送信されるメッセージ（ＣＡＲＲＩＥＲ＿ＨＯ＿ＩＤメッセージ）を、基地局（ＢＳ）から受信するための複数の命令、
前記ＣＡＲＲＩＥＲ＿ＨＯ＿ＩＤメッセージの受信成功を確認応答するために前記旧ＲＦキャリアを使用して前記ＢＳに第１確認応答メッセージを送信するための複数の命令、
前記新ＲＦキャリアにおけるリソースの割当てるため、およびアップリンク高速フィードバック・チャネルにおけるリソースの割当てのために前記旧ＲＦキャリアを使用して前記ＢＳから送られるメッセージ（ＡＬＬＯＣ＿ＮＥＷＣＡＲＲメッセージ）を受信するための複数の命令、および
前記新ＲＦキャリアへの同期処理の成功を確認応答するために前記アップリンク高速フィードバック・チャネルを介して第２確認応答メッセージを送信するための複数の命令、を備える、コンピュータ・プログラム製品。
【０１１７】
［Ｃ５９］
前記ＣＡＲＲＩＥＲ＿ＨＯ＿ＩＤメッセージは、移動局（ＭＳ）が前記ＲＦキャリアを切換えることを試みる以前の前記旧ＲＦキャリアにおける最後のフレーム、前記新ＲＦキャリアについての情報、および前記新ＲＦキャリアの同期チャネルについての情報を含む、Ｃ５８のコンピュータ・プログラム製品。
【０１１８】
［Ｃ６０］
前記新ＲＦキャリアについての前記情報は前記新ＲＦキャリアの所在位置を含む、Ｃ５９のコンピュータ・プログラム製品。
【０１１９】
［Ｃ６１］
前記新ＲＦキャリアについての前記情報は前記旧ＲＦキャリアについての前記情報とは異なる情報を含む、Ｃ６０のコンピュータ・プログラム製品。
【０１２０】
［Ｃ６２］
前記旧ＲＦキャリアはプライマリＲＦキャリアである、Ｃ５８のコンピュータ・プログラム製品。
【０１２１】
［Ｃ６３］
前記新ＲＦキャリアはプライマリＲＦキャリアである、Ｃ５８のコンピュータ・プログラム製品。
【０１２２】
［Ｃ６４］
前記新ＲＦキャリアはセカンダリＲＦキャリアである、Ｃ５８のコンピュータ・プログラム製品。
【図１】
0005559398.tif 000002
【図２】
0005559398.tif 000003
【図３】
0005559398.tif 000004
【図４】
0005559398.tif 000005
【図５】
0005559398.tif 000006
【図５Ａ】
0005559398.tif 000007
【図６】
0005559398.tif 000008